【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
拡張レイヤピクチャの第１の共通の拡張レイヤタイル内の２つの第１のそれぞれの拡張レイヤサンプルと同一位置配置された、参照レイヤピクチャの任意の２つの第１の参照レイヤサンプルが、前記２つの第１の参照レイヤサンプルが利用可能であるとき、前記参照レイヤピクチャの第１の共通の参照レイヤタイル内になければならないことを表し、前記参照レイヤピクチャの２つのそれぞれの第２の参照レイヤサンプルを指す、前記拡張レイヤピクチャの任意の２つの第２の拡張レイヤサンプルが、前記２つの第２の拡張レイヤサンプルが利用可能であるとき、前記拡張レイヤピクチャの第２の共通の拡張レイヤタイル内になければならないことを表す、第１のシンタックス要素に対する値を復号することと、
前記第１の共通の参照レイヤタイルが利用可能でないか、又は前記第２の共通の拡張レイヤタイルが利用可能でないかのいずれかであることを、第２のシンタックス要素から、決定することと、
前記第１のシンタックス要素の前記値及び前記第１の共通の参照レイヤタイルが利用可能でないか、又は前記第２の共通の拡張レイヤタイルが利用可能でないかのいずれかであることの前記決定に少なくとも部分的に基づいて、前記参照レイヤピクチャと前記拡張レイヤピクチャとを復号することとを備える、方法。
【請求項２】
ビデオデータを符号化する方法であって、
拡張レイヤピクチャの第１の共通の拡張レイヤタイル内の２つの第１のそれぞれの拡張レイヤサンプルと同一位置配置された、参照レイヤピクチャの任意の２つの第１の参照レイヤサンプルが、前記２つの第１の参照レイヤサンプルが利用可能であるとき、前記参照レイヤピクチャの第１の共通の参照レイヤタイル内になければならないことを表し、前記参照レイヤピクチャの２つのそれぞれの第２の参照レイヤサンプルを指す、前記拡張レイヤピクチャの任意の２つの第２の拡張レイヤサンプルが、前記２つの第２の拡張レイヤサンプルが利用可能であるとき、前記拡張レイヤピクチャの第２の共通の拡張レイヤタイル内になければならないことを表す、第１のシンタックス要素に対する値を符号化することと、
前記第１の共通の参照レイヤタイルが利用可能でないか、又は前記第２の共通の拡張レイヤタイルが利用可能でないかのいずれかであることを、第２のシンタックス要素から、決定することと、
前記第１のシンタックス要素の前記値及び前記第１の共通の参照レイヤタイルが利用可能でないか、又は前記第２の共通の拡張レイヤタイルが利用可能でないかのいずれかであることの前記決定に少なくとも部分的に基づいて、前記参照レイヤピクチャと前記拡張レイヤピクチャとを符号化することとを備える、方法。
【請求項３】
前記値が、２つの第２の拡張レイヤサンプルと同一位置配置され、前記第１の共通の参照レイヤタイル内にない任意の２つの第２の参照レイヤサンプルに対して、前記２つの第２の拡張レイヤサンプルが、両方とも前記第２の共通の拡張レイヤタイル内にあってはいけないことを更に示す、請求項１又は２に記載の方法。
【請求項４】
前記値が、前記第１の共通の参照レイヤタイル内にある任意の２つの参照レイヤピクチャサンプルに対して、前記同一位置配置された拡張レイヤサンプルもまた前記第１の共通の拡張レイヤタイル内にあることを更に示す、請求項１又は２に記載の方法。
【請求項５】
前記第１のシンタックス要素が、ｔｉｌｅ＿ｂｏｕｎｄａｒｉｅｓ＿ａｌｉｇｎｅｄ＿ｆｌａｇを備える、請求項４に記載の方法。
【請求項６】
ビデオデータを復号するための装置であって、
拡張レイヤピクチャの第１の共通の拡張レイヤタイル内の２つの第１のそれぞれの拡張レイヤサンプルと同一位置配置された、参照レイヤピクチャの任意の２つの第１の参照レイヤサンプルが、前記２つの第１の参照レイヤサンプルが利用可能であるとき、前記参照レイヤピクチャの第１の共通の参照レイヤタイル内になければならないことを表し、前記参照レイヤピクチャの２つの第２のそれぞれの参照レイヤサンプルを指す、前記拡張レイヤピクチャの任意の２つの第２の拡張レイヤサンプルが、前記２つの第２の拡張レイヤサンプルが利用可能であるとき、前記拡張レイヤピクチャの第２の共通の拡張レイヤタイル内になければならないことを表す、第１のシンタックス要素に対する値を復号するための手段と、
前記第１の共通の参照レイヤタイルが利用可能でないか又は前記第２の共通の拡張レイヤタイルが利用可能でないかのいずれかであることを、第２のシンタックス要素から、決定するための手段と、
前記第１のシンタックス要素の前記値及び前記第１の共通の参照レイヤタイルが利用可能でないか、又は前記第２の共通の拡張レイヤタイルが利用可能でないかのいずれかであることの前記決定に少なくとも部分的に基づいて、前記参照レイヤピクチャと前記拡張レイヤピクチャとを復号するための手段とを備える、装置。
【請求項７】
ビデオデータを符号化するための装置であって、
拡張レイヤピクチャの第１の共通の拡張レイヤタイル内の２つの第１のそれぞれの拡張レイヤサンプルと同一位置配置された、参照レイヤピクチャの任意の２つの第１の参照レイヤサンプルが、前記２つの第１の参照レイヤサンプルが利用可能であるとき、前記参照レイヤピクチャの第１の共通の参照レイヤタイル内になければならないことを表し、前記参照レイヤピクチャの２つの第２のそれぞれの参照レイヤサンプルを指す、前記拡張レイヤピクチャの任意の２つの第２の拡張レイヤサンプルが、前記２つの第２の拡張レイヤサンプルが利用可能であるとき、前記拡張レイヤピクチャの第２の共通の拡張レイヤタイル内になければならないことを表す、第１のシンタックス要素に対する値を符号化するための手段と、
前記第１の共通の参照レイヤタイルが利用可能でないか、又は前記第２の共通の拡張レイヤタイルが利用可能でないかのいずれかであることを、第２のシンタックス要素から、決定するための手段と、
前記第１のシンタックス要素の前記値及び前記第１の共通の参照レイヤタイルが利用可能でないか、又は前記第２の共通の拡張レイヤタイルが利用可能でないかのいずれかであることの前記決定に少なくとも部分的に基づいて、前記参照レイヤピクチャと前記拡張レイヤピクチャとを符号化するための手段とを備える、装置。
【請求項８】
前記値が、２つの第２の拡張レイヤサンプルと同一位置配置され、前記第１の共通の参照レイヤタイル内にない任意の２つの第２の参照レイヤサンプルに対して、前記２つの第２の拡張レイヤサンプルが、両方とも前記第２の共通の拡張レイヤタイル内にあってはいけないことを更に示す、請求項６又は７に記載の装置。
【請求項９】
前記値が、前記第１の共通の参照レイヤタイル内にある任意の２つの参照レイヤピクチャサンプルに対して、前記同一位置配置された拡張レイヤサンプルもまた前記第１の共通の拡張レイヤタイル内にあることを更に示す、請求項６又は７に記載の装置。
【請求項１０】
前記第１のシンタックス要素が、ｔｉｌｅ＿ｂｏｕｎｄａｒｉｅｓ＿ａｌｉｇｎｅｄ＿ｆｌａｇを備える、請求項９に記載の装置。
【請求項１１】
前記第１のシンタックス要素の前記値を処理するための前記手段が、前記第１のシンタックス要素を復号する又は符号化するための手段を備える、請求項９に記載の装置。
【請求項１２】
前記第１のシンタックス要素の前記値を処理するための前記手段が、符号化されたビデオビットストリームに含めるための、前記第１のシンタックス要素に対する前記値を生成するための手段を備える、請求項９に記載の装置。
【請求項１３】
実行されたとき、プロセッサに、請求項１から５のうちのいずれか１項の方法を実行させる命令を記憶したコンピュータ可読記憶媒体。